(57)【要約】【課題】天井ボードの張り付け作業を従来よりも効率良く行うための治具を提供する。【解決手段】天井ボード張り付け作業用治具１０は、壁部と底壁部から立ち上がる１対の側壁部とを有する断面Ｕ字形状の野縁に天井ボードを張り付ける作業を補助する。かかる天井ボード張り付け作業用治具１０は、天井ボード張り付け作業時に、野縁に保持されるものであり、野縁の上方に位置する上方部１１と、野縁の側方に位置する側方部１６と、野縁の下方に位置する下方部１７とを有するコの字形状である。上方部１１には、野縁の少なくとも一方の側壁部を受け入れる溝１２が設けられ、上方部１１と下方部１７の間隔Ｌｓは、天井ボード張り付け作業時に、野縁に保持された天井ボード張り付け作業用治具１０の下方部１７と野縁の底壁部との間に天井ボードの縁部を受け入れることができる大きさとされている。【選択図】図１
2020165198.tif 000002
【特許請求の範囲】
【請求項１】
底壁部と前記底壁部から立ち上がる１対の側壁部とを有する断面Ｕ字形状の野縁に天井ボードを張り付ける作業を補助する、天井ボード張り付け作業用治具であって、
前記治具は、天井ボード張り付け作業時に、前記野縁に保持されるものであり、前記野縁の上方に位置する上方部と、前記野縁の側方に位置する側方部と、前記野縁の下方に位置する下方部とを有するコの字形状であり、
前記上方部には、前記野縁の少なくとも一方の前記側壁部を受け入れる溝が設けられ、
前記上方部と前記下方部の間隔は、天井ボード張り付け作業時に、前記野縁に保持された前記治具の下方部と前記野縁の底壁部との間に前記天井ボードの縁部を受け入れることができる大きさとされている、天井ボード張り付け作業用治具。
【請求項２】
前記溝は２つ設けられ、前記１対の側壁部をそれぞれ受け入れる、請求項１に記載の天井ボード張り付け作業用治具。
【請求項３】
前記治具は平坦な板材であり、
前記上方部、前記側方部、および前記下方部は面一に配置される、請求項１または２に記載の天井ボード張り付け作業用治具。
【発明の詳細な説明】
【技術分野】
【０００１】
本発明は、天井ボードを野縁に受け持たせる部材に関する。
【背景技術】
【０００２】
建物建築中に天井ボードを張る作業は、２人の作業員が狭小な足場に立ちながら、頭上で天井ボードを手で支えつつ、釘打ち等することから、上向きの不自然な姿勢で重量物を支持しなければならず、重労働であり、省人化、省力化が望まれる。そこで天井ボードを天井に固定する前に、天井ボードをしばらくの間、別の金具で支える技術が、特許文献１ないし３で提案されている。特許文献１ないし３記載の金具は、断面コの字状であり、金具の上部が矩形断面の木製野縁あるいは木桟に引っ掛けられ、金具の下部に天井ボードの端部を預けられる。
【先行技術文献】
【特許文献】
【０００３】
【特許文献１】実開平６−０３５５１４号公報
【特許文献２】特開２００４−２２５５０１号公報
【特許文献３】実開昭６１−０１１８４４号公報
【発明の概要】
【発明が解決しようとする課題】
【０００４】
しかし、上記従来技術にあっては、金具が傾き易い等の理由により、金具が野縁から外れやすく、天井ボードを安定して支持できないという問題があった。
【０００５】
本発明は、上述の実情に鑑み、チャンネル材を野縁とし、チャンネル材の断面開口が上向き姿勢にされて架設される天井に有効な、天井ボード支持のための改良技術を提供することを目的とする。
【課題を解決するための手段】
【０００６】
本発明は、底壁部とこの底壁部から立ち上がる１対の側壁部とを有する断面Ｕ字形状の野縁に天井ボードを張り付ける作業を補助する、天井ボード張り付け作業用治具に属する。本発明の天井ボード張り付け作業用治具は、天井ボード張り付け作業時に、野縁に保持されるものであり、野縁の上方に位置する上方部と、野縁の側方に位置する側方部と、野縁の下方に位置する下方部とを有するコの字形状であることを前提とする。そしてコの字体の上方部には、野縁の少なくとも一方の側壁部を受け入れる溝が設けられ、コの字体の上方部と下方部の間隔は、天井ボード張り付け作業時に、記野縁に保持されたコの字体の下方部と野縁の底壁部との間に天井ボードの縁部を受け入れることができる大きさとされている。
【０００７】
かかる本発明によれば治具上方部の溝が野縁の側壁部に係止し、治具は野縁から外れ難くされる。したがって治具は天井ボードの縁部を安定して支持し、天井ボードの張り付け作業を効率良く行うことができる。なお天井ボード張り付け作業用治具は、繰り返し使用される。
【０００８】
本発明の好ましい局面として溝は２つ設けられ、１対の側壁部をそれぞれ受け入れる。これにより各側壁部が溝に嵌まり、治具は野縁に確りと係止する。あるいは本発明の他の局面として溝は１つのみ、あるいは３つ以上、設けられる。
【０００９】
本発明の一局面として、治具は平坦な板材であり、上方部、側方部、および下方部は同一面上に配置される。かかる局面によれば、天井ボード張り付け作業用治具は薄型化・軽量化され、作業者は天井ボード張り付け作業用治具を容易に野縁に係止させることができる。本発明の他の局面として、上方部、側方部、および下方部は同一面上に配置されず、これら３つの部位のうちの２つが段違いとなるように配置されたり、あるいは、これら３つの部位のうちの２つが同一面上に配置され、残りの１つが当該同一面から外れるよう配置されたりしてもよい。
【発明の効果】
【００１０】
このように本発明を使用すれば、天井ボードの張り付け作業が従来よりも効率良くなる。
【図面の簡単な説明】
【００１１】
【図１】本発明の一実施形態になる天井ボード張り付け作業用治具を示す斜視図である。
【図２】同実施形態が使用される野縁を例示する断面図である。
【図３】野縁に同実施形態の天井ボード張り付け作業用治具が取り付けられた状態を示す図である。
【図４】同実施形態の天井ボード張り付け作業用治具に天井ボードを受け持たせた状態を示す図である。
【図５】野縁に天井ボードが取り付けられた状態を示す図である。
【発明を実施するための形態】
【００１２】
以下、本発明の実施の形態を、図面に基づき詳細に説明する。図１は、本発明の一実施形態になる天井ボード張り付け作業用治具を示す斜視図である。天井ボード張り付け作業用治具１０は、上方部１１、側方部１６、および下方部１７を備えるコの字体であり、コの字体の中心で空所２０を区画する。
【００１３】
本実施形態の天井ボード張り付け作業用治具１０は、一部材であり、上方部１１と、側方部１６と、下方部１７は、この順序で直列に一体結合する。上方部１１および下方部１７の幅寸法、つまり天井ボード張り付け作業用治具１０の幅寸法Ｗｇは、例えば８５ｍｍであり、６０ｍｍ〜１５０ｍｍの範囲にされる。
【００１４】
上方部１１は空所２０の上方を区画する。上方部１１の幅方向一方側および幅方向他方側にはそれぞれ、切欠き状の第１溝１２および第２溝１４が形成される。第１溝１２および第２溝１４は、空所２０と接続し、上方部１１の下縁から上方へ延びる。
【００１５】
側方部１６は、上方部１１の幅方向他方部分１５から下方へ突出し、空所２０の側方を区画する。下方部１７は、側方部１６の下端から幅方向一方へ突出する。下方部１７は、上方部１１と間隔Ｌｓ（本実施形態ではＬｓ＝３５ｍｍ）を空けて対向する。特に、幅方向一方へ突出する下方部１７の先端部分１８は、上方部１１の幅方向一方部分１１ｃと対向する。
【００１６】
下方部１７の高さ寸法（上下方向寸法）Ｌｄは、例えば１５ｍｍであり、１０〜３０ｍｍの範囲に含まれる。上方部１１には第１溝１２および第２溝１４が形成されることを考慮しつつ、強度確保の点から、上方部１１の高さ寸法Ｌｃは、Ｌｄよりも大きくされる（Ｌｄ＜Ｌｃ）。例えば高さ寸法Ｌｃは、第１溝１２（または第２溝１４）の溝深と高さ寸法Ｌｄの合計以上とされる。
【００１７】
先端部分１８のうちの上側縁には傾斜縁１９が形成される。傾斜縁１９は、面取であって、幅方向一方（先端）へ向かうほど下降するよう傾斜する。本実施形態の傾斜縁１９は、４５°の勾配である。あるいは図示はしなかったが、傾斜縁１９は幅方向に対して４５°未満の緩勾配であってもよい。また天井ボード張り付け作業用治具１０の各角部に面取を設けてもよい。
【００１８】
天井ボード張り付け作業用治具１０は板材からなり、板材の厚み寸法Ｔｂは、例えば６ｍｍであり、３〜１０ｍｍの範囲に含まれる。なお板材は、１枚の平坦な鋼板であってもよいし、２枚あるいは複数枚の鋼板を重ねて溶接したものであってもよい。
【００１９】
上方部１１の幅方向中央部分１３の上側部分には貫通孔１３ｈが設けられる。曲げ強度および剪断強度の確保のため、天井ボード張り付け作業用治具１０は金属製とされる。
【００２０】
図２〜図５は、本実施形態の天井ボード張り付け作業用治具１０の使用方法を説明する概略図であり、いずれの図面も建物の天井の所定断面を表す。軽量鉄骨造の建物天井には、水平に延びる野縁受け３０と、野縁受け３０の下縁に固定されて野縁受け３０と直交する野縁４０，４１が設けられる。野縁４０，４１は、図２の紙面に対して直角方向に延びる溝形鋼であり、具体的にはリップ付溝形鋼（Ｃチャンネル）である。図２には野縁４０，４１の断面が表される。野縁４１は、底壁部（ウェブ）４２と、底壁部４２の両縁に設けられて上方へ突出する１対の側壁部（フランジ）４３，４４を含み、上向きに開いた姿勢で保持される。野縁４１は規格品であり、幅方向両縁に相当する側壁部４３，４４が、幅方向中央部に相当する底壁部４２よりも上方に突出する。野縁４０も野縁４１と同様であるが、野縁４０の幅寸法は野縁４１の幅寸法よりも小さい。また野縁４０の高さ寸法は野縁４１の高さ寸法と等しく、野縁４０の底壁部の下面と野縁４１の底壁部の下面は面一にされる。
【００２１】
天井ボード張り付け作業用治具１０は、図２〜図５の順序で示す手順で、取り付けられたり、取り外されたりして、天井ボード５０の張り付け作業を補助する。天井ボード５０は石膏ボード、ジプトーン、石綿吸音板等の重量物である。天井ボード５０は一般的な縦横寸法（３尺×６尺）である。天井ボード５０の板厚は、空所２０の高さ寸法よりも小さい。
【００２２】
天井ボード張り付け作業用治具１０の空所２０は、野縁４１の断面（幅寸法および高さ寸法）よりも大きい。空所２０が野縁４１と同じ高さとなる位置で、天井ボード張り付け作業用治具１０は図２に矢で示すように幅方向一方へ動かされ、野縁４１が空所２０を通過するようにされる。
【００２３】
第１溝１２と第２溝１４の間隔は、１対の側壁部４３，４４の間隔と等しい。野縁４１が空所２０を通過する状態で、天井ボード張り付け作業用治具１０を下方へ動かすと、図３に示すように第１溝１２および第２溝１４がそれぞれ、側壁部４３，４４に嵌まり込む。第１溝１２および第２溝１４の溝深さは、側壁部４３，４４の高さ寸法以下である。このため側壁部４３，４４の上縁が第１溝１２および第２溝１４の溝底に当接し、天井ボード張り付け作業用治具１０は側壁部４３，４４から吊り下がった直立姿勢にされる。
【００２４】
第１溝１２の溝深さは、側壁部４３上縁に形成されるリップの断面寸法よりも大きい。また第１溝１２の溝幅は、リップ断面の幅寸法と略等しくされる。このため側壁部４３の上縁から下縁までが第１溝１２を通過する。同様に第２溝１４の溝幅も、リップ付フランジになる側壁部４４の幅寸法に対応する。幅方向一方部分１１ｃと幅方向中央部分１３と幅方向他方部分１５は、１対の側壁部４３，４４の外・内・外に位置し、天井ボード張り付け作業用治具１０の幅方向移動を規制するのみならず、天井ボード張り付け作業用治具１０の傾斜を規制する。傾斜とは、幅方向一方部分１１ｃに対して幅方向他方部分１５が上方へ移動するよう、天井ボード張り付け作業用治具１０が図４の紙面上で回動することをいう。
【００２５】
本実施形態によれば、幅方向２箇所の係合、つまり幅方向一方で側壁部４３が第１溝１２に嵌まり込み、かつ、幅方向他方で側壁部４４が第２溝１４に嵌まり込むことにより、天井ボード張り付け作業用治具１０が不用意に傾斜することを防止される。
【００２６】
次に図４に示すように、野縁４０，４１よりも下方で、天井ボード５０の縁部５１が、空所２０に受け入れられる。底壁部４２の下面から下方部１７までの隙間は、縁部５１の厚み寸法よりも大きい。縁部５１は、傾斜縁１９により空所２０の奥（天井ボード張り付け作業用治具１０の幅方向他方）へ受け入れられる。これにより作業者は、重量物の天井ボード５０を手で支持しながら、縁部５１を容易に空所２０へ差し込むことができる。縁部５１を空所２０に差し込んで下方部１７に載せる作業を「預ける」という。縁部５１は、下方から下方部１７に支持される。
【００２７】
次に天井ボード５０は、野縁４０，４１の下縁に接触するように持ち上げられ、図５に示すように下方から複数のネジ５２で野縁４０，４１のウェブにネジ止めされる。これにより天井ボード５０は天井に張り付けられ、縁部５１は下方部１７から上方へ離隔し、縁部５１を一時的に支持するという天井ボード張り付け作業用治具１０の役目は終了する。そこで図５に矢で示すように、天井ボード張り付け作業用治具１０は持ち上げられて野縁４１から取り外され、次の天井ボードの張り付け作業に再使用される。上方部１１と下方部１７の間隔Ｌｓは、縁部５１の厚み寸法および野縁４１の高さ寸法の合計以上である。
【００２８】
ところで本実施形態の天井ボード張り付け作業用治具１０は、天井ボード５０を野縁４０，４１に張り付ける作業を補助するコの字体の治具であって、コの字体の上方部１１には野縁４１の側壁部４３，４４とそれぞれ嵌まり込む第１溝１２および第２溝１４が設けられ、コの字体の側方部１６は野縁４１の側方に配置され、コの字体の下方部１７は野縁４１よりも下方に離隔して天井ボード５０の縁部５１が受け入れられる隙間を構成する。本実施形態によれば、側壁部４３，４４が第１溝１２および第２溝１４に嵌まり込むので、天井ボード張り付け作業用治具１０が不用意に回動せず、作業者は天井ボード５０の張り付け作業を効率良く行うことができる。
【００２９】
また野縁４１の長手方向に関し、本実施形態の厚み寸法Ｔｂは、３ｍｍ以上１０ｍｍ以下の範囲内に含まれる。これにより天井ボード張り付け作業用治具１０は薄型化・軽量化され、作業者は天井ボード張り付け作業用治具１０を容易に野縁４１に係止させることができる。
【００３０】
また本実施形態の下方部１７の高さ寸法Ｌｄは、１０ｍｍ以上３０ｍｍ以下の範囲内に含まれる。これにより下方部１７の強度が確保され、重量物である天井ボード５０を安定して支持することができる。また、幅方向一方へ突出する下方部１７の先端部分１８の上側縁は、幅方向一方へ向かうほど下降するよう傾斜するよう傾斜縁１９が形成される。これにより天井ボード５０の縁部５１を、上側の野縁４１と下側の下方部１７の隙間に、受け入れ易くなり、天井ボード５０の張り付け作業が向上する。
【００３１】
また本実施形態の幅方向中央部分１３には貫通孔１３ｈが設けられる。
【００３２】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【００３３】
本発明は、建築施工において有利に利用される。
【符号の説明】
【００３４】
１０  天井ボード張り付け作業用治具、      １１  上方部、      
１２  第１溝、      １３  幅方向中央部分、      １４  第２溝、      
１５  幅方向他方部分、      １６  側方部、      １７  下方部、      
１８  先端部分、      １９  傾斜縁（面取）、      ２０  空所、      
４０，４１  野縁、      ４２  底壁部、      ４３，４４  側壁部、      
５０  天井ボード、      ５１  縁部、      ５２  ネジ。
【図１】
2020165198.tif 000003
【図２】
2020165198.tif 000004
【図３】
2020165198.tif 000005
【図４】
2020165198.tif 000006
【図５】
2020165198.tif 000007